(57)【要約】【課題】データが更新されてもＣＤ−ＲＯＭ等の記録媒体を交換することなく、効率よく最新情報を得ることを可能とする。【解決手段】情報提供者側としてのセンタと、センタからの情報の提供を受ける利用者側端末であるターミナルより構成されており、ターミナルＴＥ側には、ＣＤ−ＲＯＭ２０ａの読み取り装置２０が配置されている。そしてターミナルＴＥ側においては、このＣＤ−ＲＯＭ２０ａに記録してある情報以外の新たな情報またはＣＤ−ＲＯＭ２０ａに記録してある情報のうち更新を必要とする情報をセンタＣＥに対して要求し、要求を受けたセンタからは通信回線を介してターミナルＴＥ側に対して更新情報等を伝送するよう成される。従って利用者は、データが更新されてもＣＤ−ＲＯＭ２０ａを交換することなく、効率よく最新情報を得ることができる。【選択図】図１
2006331414.tif 000002
【特許請求の範囲】
【請求項１】
記録媒体に記録される情報と前記記録媒体を識別するための媒体識別ＩＤとを読み取り可能なターミナルへ、記録媒体に記録された情報以外の情報の提供を行うセンタにおいて、
前記情報を識別する情報識別ＩＤと、前記記録媒体に記録された情報以外の情報と、曲名、演奏時間、作詞、作曲家名を含む曲情報からなる管理情報を蓄積するセンタ情報蓄積手段と、
前記ターミナルから、前記記録媒体の媒体識別ＩＤを含む前記記録媒体に記録された情報以外の情報を要求する媒体更新要求コマンドを受信するセンタ受信手段と、
前記受信手段において受信された前記媒体更新要求コマンドに含まれる前記媒体識別ＩＤに基づいて、前記媒体識別ＩＤにより特定される前記記録媒体に記録される情報以外の情報を、前記センタ情報蓄積手段の前記管理情報から検索する情報検索手段と、
前記情報検索手段により検索された前記情報を前記ターミナルに対して送信するセンタ送信手段と
を備えることを特徴とするセンタ。
【請求項２】
前記センタ受信手段は、前記ターミナルを利用する利用者を識別する利用者識別ＩＤをさらに受信し、
受信された前記利用者識別ＩＤに基づいて、サービスを受けることが可能な利用者であるか否かを検査する検査手段をさらに備える
ことを特徴とする請求項１に記載のセンタ。
【請求項３】
前記情報検索手段において検索される前記情報を暗号化する暗号化手段をさらに備える
ことを特徴とする請求項１に記載のセンタ。
【請求項４】
前記センタ送信手段は、前記暗号化手段において暗号化された前記情報を送信する
ことを特徴とする請求項３に記載のセンタ。
【請求項５】
前記センタ送信手段は、暗号化された前記情報を解読するための暗号鍵情報を送信する
ことを特徴とする請求項４に記載のセンタ。
【請求項６】
記録媒体に記録される情報と前記記録媒体を識別するための媒体識別ＩＤとを読み取り可能なターミナルへ、記録媒体に記録された情報のうち更新を必要とする更新情報の提供を行うセンタの情報処理方法において、
前記情報を識別する情報識別ＩＤと、前記記録媒体に記録された情報以外の情報と、曲名、演奏時間、作詞、作曲家名を含む曲情報からなる管理情報をセンタ情報蓄積部に蓄積するセンタ情報蓄積ステップと、
前記ターミナルから、前記記録媒体の媒体識別ＩＤを含む前記記録媒体に記録された情報以外野情報を必要とする更新情報を要求する媒体更新要求コマンドを通信部において受信するセンタ受信ステップと、
前記通信部において受信された前記媒体更新要求コマンドに含まれる前記媒体識別ＩＤに基づいて、前記媒体識別ＩＤにより特定される記録媒体に記録される情報以外の情報を、前記センタ情報蓄積部の前記管理情報から検索する情報検索ステップと、
前記情報検索ステップの処理で検索された前記情報を前記ターミナルに対して送信するセンタ送信ステップと
を含むことを特徴とするセンタの情報処理方法。
【請求項７】
前記センタ受信ステップの処理は、前記通信部において前記ターミナルを利用する利用者を識別する利用者識別ＩＤをさらに受信し、
受信された前記利用者識別ＩＤに基づいて、サービスを受けることが可能な利用者であるか否かを検査する検査ステップをさらに含む
ことを特徴とする請求項６に記載のセンタの情報処理方法。
【請求項８】
前記情報検索ステップの処理で検索される前記情報を暗号部において暗号化する暗号化ステップをさらに含む
ことを特徴とする請求項６に記載のセンタの情報処理方法。
【請求項９】
前記送信ステップの処理は、前記暗号化ステップの処理で前記暗号において暗号化された前記情報を送信する
ことを特徴とする請求項８に記載のセンタの情報処理方法。
【請求項１０】
前記送信ステップの処理は、前記暗号部において暗号化された前記情報を解読するための暗号鍵情報、前記通信部において送信する
ことを特徴とする請求項９に記載のセンタの情報処理方法。
【発明の詳細な説明】
【技術分野】
【０００１】
本発明は、映像や音楽等の情報の提供を行うセンタと、センタからの情報の提供を受ける複数のターミナルより構成された情報提供システムのセンタおよびセンタの情報処理方法に関する。
【背景技術】
【０００２】
情報の提供を行うセンタと、センタからの情報の提供を受ける複数のターミナルより構成された情報提供システムとして、例えば電話回線を介してセンタとターミナルを結び、利用者、即ち、ターミナル側の所望する情報をセンタ側より取り出すようにしたデータベースシステム、あるいはパソコン通信システム等が普及している。
【０００３】
この種のシステムにおいては、ターミナル側で必要とする情報の検索および受信は、回線を接続した状態で、センタ側からターミナル側に供給される情報の内容表示（ディレクトリ情報）を参照することで行われる。このようなデータベースシステム、あるいはパソコン通信システム等においては、テキスト情報のように比較的情報量が少なく、かつ情報転送速度に制限がない情報を取り出すための情報提供サービスには向いている。
【発明の開示】
【発明が解決しようとする課題】
【０００４】
しかしながら、映像や音楽等のように、情報量が膨大な情報の場合には、回線の情報伝達速度がネックとなって、伝送に実時間以上の時間がかかり、回線コストが増大してしまうという問題点があった。
【０００５】
また、情報の伝送メディアとして放送を利用すれば、伝送速度は増大して情報の伝送は容易になるが、伝送方向が片方向のため、一度送った情報を更新しようとする場合、すべて送り直さなければならないという問題があった。また、以前に送った情報との関連がとれないために、部分的な情報の更新は実際上不可能である。
【０００６】
また、ＣＤ−ＲＯＭのような大容量記録メディアにおいては、従来より物流の手段により、供給者より利用者側に提供されているが、記録媒体に対する書き込みが不可能なため、一部の情報を更新するに当たっても、新たに記録媒体（ＣＤ−ＲＯＭ）そのものを交換しなければならないという問題点があった。
【０００７】
また、特に近来においては、映像と音楽からなるカラオケ情報を、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）信号として、ＩＳＤＮ回線等を用いて、その都度センタから端末に送信する、所謂、通信カラオケが発達しつつあるが、回線接続料が高価になるという問題点を有している。
【０００８】
本発明はこのような点に鑑みてなされたものであり、利用者側端末（ターミナル）において、通常必要な情報はＣＤ−ＲＯＭのような記録媒体に記録した形で端末側で保有し、新たに必要な情報または更新しようとする情報のみ、放送またはケーブル回線形式でセンタより端末に取り込むようにすることで、回線接続料等のランニングコストを低減せしめ、かつ所望の情報を効率良く引き出すことが可能な情報提供システムを提供することを目的とするものである。
【課題を解決するための手段】
【０００９】
本発明のセンタは、記録媒体に記録される情報と前記記録媒体を識別するための媒体識別ＩＤとを読み取り可能なターミナルへ、記録媒体に記録された情報以外の情報の提供を行うセンタであって、前記情報を識別する情報識別ＩＤと、前記記録媒体に記録された情報以外の情報と、曲名、演奏時間、作詞、作曲家名を含む曲情報からなる管理情報を蓄積するセンタ情報蓄積手段と、前記ターミナルから、前記記録媒体の媒体識別ＩＤを含む前記記録媒体に記録された情報以外の情報を要求する媒体更新要求コマンドを受信するセンタ受信手段と、前記受信手段において受信された前記媒体更新要求コマンドに含まれる前記媒体識別ＩＤに基づいて、前記媒体識別ＩＤにより特定される前記記録媒体に記録される情報以外の情報を、前記センタ情報蓄積手段の前記管理情報から検索する情報検索手段と、前記情報検索手段により検索された前記情報を前記ターミナルに対して送信するセンタ送信手段とを備えることを特徴とする。
【００１０】
前記センタ受信手段には、前記ターミナルを利用する利用者を識別する利用者識別ＩＤをさらに受信させるようにすることができ、受信された前記利用者識別ＩＤに基づいて、サービスを受けることが可能な利用者であるか否かを検査する検査手段をさらに設けるようにさせることができる。
【００１１】
前記情報検索手段において検索される前記情報を暗号化する暗号化手段をさらに設けるようにさせることができる。
【００１２】
前記センタ送信手段には、前記暗号化手段において暗号化された前記情報を送信させるようにすることができる。
【００１３】
前記センタ送信手段には、暗号化された前記情報を解読するための暗号鍵情報を送信させるようにすることができる。
【００１４】
本発明のセンタの情報処理方法は、記録媒体に記録される情報と前記記録媒体を識別するための媒体識別ＩＤとを読み取り可能なターミナルへ、記録媒体に記録された情報のうち更新を必要とする更新情報の提供を行うセンタの情報処理方法であって、前記情報を識別する情報識別ＩＤと、前記記録媒体に記録された情報以外の情報と、曲名、演奏時間、作詞、作曲家名を含む曲情報からなる管理情報をセンタ情報蓄積部に蓄積するセンタ情報蓄積ステップと、前記ターミナルから、前記記録媒体の媒体識別ＩＤを含む前記記録媒体に記録された情報以外野情報を必要とする更新情報を要求する媒体更新要求コマンドを通信部において受信するセンタ受信ステップと、前記通信部において受信された前記媒体更新要求コマンドに含まれる前記媒体識別ＩＤに基づいて、前記媒体識別ＩＤにより特定される記録媒体に記録される情報以外の情報を、前記センタ情報蓄積部の前記管理情報から検索する情報検索ステップと、前記情報検索ステップの処理で検索された前記情報を前記ターミナルに対して送信するセンタ送信ステップとを含むことを特徴とする。
【００１５】
前記センタ受信ステップの処理は、前記通信部において前記ターミナルを利用する利用者を識別する利用者識別ＩＤをさらに受信させるようにすることができ、受信された前記利用者識別ＩＤに基づいて、サービスを受けることが可能な利用者であるか否かを検査する検査ステップをさらに含ませるようにすることができる。
【００１６】
前記情報検索ステップの処理で検索される前記情報を暗号部において暗号化する暗号化ステップをさらに含ませるようにすることができる。
【００１７】
前記送信ステップの処理には、前記暗号化ステップの処理で前記暗号において暗号化された前記情報を送信させるようにすることができる。
【００１８】
前記送信ステップの処理には、前記暗号部において暗号化された前記情報を解読するための暗号鍵情報、前記通信部において送信させるようにすることができる。
【００１９】
本発明のセンタおよびセンタの情報処理方法においては、前記情報を識別する情報識別ＩＤと、前記記録媒体に記録された情報以外の情報と、曲名、演奏時間、作詞、作曲家名を含む曲情報からなる管理情報が蓄積され、ターミナルから、前記記録媒体の媒体識別ＩＤを含む前記記録媒体に記録された情報以外の情報を要求する媒体更新要求コマンドが受信され、受信された前記媒体更新要求コマンドに含まれる前記媒体識別ＩＤに基づいて、前記媒体識別ＩＤにより特定される前記記録媒体に記録される情報以外の情報が、前記管理情報から検索され、検索された前記情報が前記ターミナルに対して送信される。
【発明の効果】
【００２０】
本発明によれば、利用者は、データが更新されても記録媒体を交換することなく、効率よく最新情報を得ることが可能となる。また、回線接続料等のランニングコストを低減せしめ、かつ所望の情報を効率よく引き出すことが可能となる。さらに、例えば各ターミナルに対する共通の更新情報を放送形式により一括して送信し、また各ターミナル毎で必要な個別な情報をケーブルを介した伝送手段で情報を取得することができ、従って経済的な運用を成すことができる。また、各ターミナルに対する更新情報を確実に把握することができ、各ターミナルに対するサービスの向上に寄与できる。さらに、情報販売にあたってのセキュリティを確保することができる。また、情報提供者側の健全な運用が保証できる。さらに、情報の送信コストおよび所要時間を低減させることが可能である。また、情報の送信コストおよび所要時間を低減させることが可能である。さらに、加入者側は遅滞なく例えば新譜のカラオケ情報を効率よく取得することができる。
【発明を実施するための最良の形態】
【００２１】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２２】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００２３】
即ち、本発明のセンタは、記録媒体に記録される情報と前記記録媒体を識別するための媒体識別ＩＤとを読み取り可能なターミナルへ、記録媒体に記録された情報以外の情報の提供を行うセンタであって、前記情報を識別する情報識別ＩＤと、前記記録媒体に記録された情報以外の情報と、曲名、演奏時間、作詞、作曲家名を含む曲情報からなる管理情報を蓄積するセンタ情報蓄積手段（例えば、図２の情報蓄積装置２）と、前記ターミナルから、前記記録媒体の媒体識別ＩＤを含む前記記録媒体に記録された情報以外の情報を要求する媒体更新要求コマンドを受信するセンタ受信手段（例えば、図２の通信インタフェース部９）と、前記受信手段において受信された前記媒体更新要求コマンドに含まれる前記媒体識別ＩＤに基づいて、前記媒体識別ＩＤにより特定される前記記録媒体に記録される情報以外の情報を、前記センタ情報蓄積手段の前記管理情報から検索する情報検索手段（例えば、図２のＣＰＵ４）と、前記情報検索手段により検索された前記情報を前記ターミナルに対して送信するセンタ送信手段（例えば、図２の通信インタフェース部９）とを備えることを特徴とする。
【００２４】
前記センタ受信手段には、前記ターミナルを利用する利用者を識別する利用者識別ＩＤをさらに受信させるようにすることができ、受信された前記利用者識別ＩＤに基づいて、サービスを受けることが可能な利用者であるか否かを検査する検査手段（例えば、図２のＣＰＵ４）をさらに設けるようにさせることができる。
【００２５】
前記情報検索手段において検索される前記情報を暗号化する暗号化手段（例えば、図２の暗号化回路３）をさらに設けるようにさせることができる。
【００２６】
本発明のセンタの情報処理方法は、記録媒体に記録される情報と前記記録媒体を識別するための媒体識別ＩＤとを読み取り可能なターミナルへ、記録媒体に記録された情報のうち更新を必要とする更新情報の提供を行うセンタの情報処理方法であって、前記情報を識別する情報識別ＩＤと、前記記録媒体に記録された情報以外の情報と、曲名、演奏時間、作詞、作曲家名を含む曲情報からなる管理情報をセンタ情報蓄積部に蓄積するセンタ情報蓄積ステップと、前記ターミナルから、前記記録媒体の媒体識別ＩＤを含む前記記録媒体に記録された情報以外野情報を必要とする更新情報を要求する媒体更新要求コマンドを通信部において受信するセンタ受信ステップ（例えば、図４のフローチャートのステップＳ１０４の処理）と、前記通信部において受信された前記媒体更新要求コマンドに含まれる前記媒体識別ＩＤに基づいて、前記媒体識別ＩＤにより特定される記録媒体に記録される情報以外の情報を、前記センタ情報蓄積部の前記管理情報から検索する情報検索ステップ（例えば、図４のフローチャートのステップＳ１０６の処理）と、前記情報検索ステップの処理で検索された前記情報を前記ターミナルに対して送信するセンタ送信ステップ（例えば、図４のフローチャートのステップＳ１０８の処理）とを含むことを特徴とする。
【００２７】
前記センタ受信ステップの処理は、前記通信部において前記ターミナルを利用する利用者を識別する利用者識別ＩＤをさらに受信させるようにすることができ、受信された前記利用者識別ＩＤに基づいて、サービスを受けることが可能な利用者であるか否かを検査する検査ステップ（例えば、図４のフローチャートのステップＳ１０２の処理）をさらに含ませるようにすることができる。
【００２８】
前記情報検索ステップの処理で検索される前記情報を暗号部において暗号化する暗号化ステップ（例えば、図４のフローチャートのステップＳ１０８の処理）をさらに含ませるようにすることができる。
【００２９】
以下、本発明を図に示す実施例に基づいて説明する。図１は、本発明の情報提供システムの基本構成をブロック図で示したものである。
【００３０】
本発明の情報提供システムは、図１に示すように、情報提供者側としてのセンタＣＥと、センタＣＥからの情報の提供を受ける利用者側端末であるターミナルＴＥより構成されている。そして、センタＣＥ側には、通信衛星ＳＡに対して空中線電波ＲＦ１により情報が送信される。一方、通信衛星ＳＡからは、ターミナルＴＥに対して再送信電波ＲＦ２により情報を再送信するように構成されている。これにより、センタＣＥ側からターミナルＴＥ側に対して情報を提供する空中線電波を利用する衛星放送網を構築している。
【００３１】
また、センタＣＥとターミナルＴＥとの間には、例えばＩＳＤＮ等のケーブルＣＡを媒体とした通信網が構築され、ターミナルＴＥ側で指定した、新たな情報または更新を必要とする情報に関する情報を、ケーブルＣＡを媒体とした回線伝送形式でセンタＣＥよりターミナルＴＥに対して送信が成されるように構成されている。
【００３２】
図２は、情報の伝送手段としてケーブルＣＡを媒体とした通信網を利用する本発明の第１の実施例におけるセンタＣＥの構成をブロック図で示したものである。即ち、センタＣＥには、各ターミナルＴＥに対して提供する情報が格納されている情報蓄積手段としての情報蓄積装置１、また利用者毎の課金情報、更新の履歴情報および利用者の電話番号等を蓄積する情報蓄積装置２、送出情報を暗号化するための暗号化回路３、制御プログラムを実行する中央演算装置（ＣＰＵ）４、現在のステータスを記憶しておくためのＲＡＭ５、ＣＰＵ４に対する実行プログラムおよび情報蓄積装置１の管理情報を記憶したＲＯＭ６が、それぞれデータバス、アドレスバス、制御バスなどよりなるＣＰＵ４のシステムバス７に相互に接続されている。
【００３３】
そして暗号化回路３には、送出情報を回線に送出できるように変換する変換回路８が接続され、また変換回路８には、ケーブル回線に情報を出力するための通信インタフェース部９が接続されている。
【００３４】
また、図３は、本発明の第１の実施例におけるターミナルＴＥの構成をブロック図で示したものである。ターミナルＴＥには、予め情報が記録されたＣＤ−ＲＯＭよりなる記録媒体２０ａから情報を読み取る情報読み取り手段としてのＣＤ−ＲＯＭ読み取り装置２０、センタＣＥから得られる暗号化情報を解読する暗号解読回路２１、暗号解読回路２１によって解読されたケーブル回線から受信した情報を保存しておく情報蓄積装置２２、制御プログラムの一時的な情報をコピーしておくＲＡＭ２３、情報蓄積装置２２に蓄積された情報を表示キャラクタ情報等に変換する表示回路２４、端末を操作するための操作装置２５、制御プログラムを実行するＣＰＵ２６、実行プログラムおよびターミナルＴＥの管理情報を記憶したＲＯＭ２７が、それぞれデータバス、アドレスバス、制御バスなどよりなるＣＰＵ２６のシステムバス２８に相互に接続されている。
【００３５】
そして表示回路２４には、表示回路２４より供給されるキャラクタ情報等を表示する表示装置２９が接続され、また暗号解読回路２１には、ケーブル回線との通信インタフェース部３０が接続されている。
【００３６】
以上、図２および図３に示したセンタＣＥとターミナルＴＥとの組み合わせにより、ＣＤ−ＲＯＭ等の記録媒体２０ａに記録してある情報以外の新たな情報、または記録媒体２０ａに記録してある情報のうち更新を必要とする情報に関する情報を、センタＣＥからターミナルＴＥに対して選択的に補充することのできる情報提供システムが構築される。
【００３７】
以上のように構成された情報提供システムの作用について、以下に説明する。図４は、ターミナルＴＥ側に配置された媒体（ＣＤ−ＲＯＭ）に記録されている情報以外の新たな情報、または媒体に記録してある情報のうち更新を必要とする更新情報を、ターミナルＴＥ側からＩＳＤＮ回線を経由してセンタＣＥ側に要求し、センタＣＥ側からターミナルＴＥ側に対して要求された情報を伝送する場合について示している。
【００３８】
まず、センタＣＥの通信インタフェース部９が、ターミナルＴＥからの呼設定メッセージを受信すると、ステップＳ１０１において、呼設定メッセージ内のユーザ・ユーザ情報（ＵＵＩ）に含まれる利用者のＩＤを通信インタフェース部９を介してＣＰＵ４に渡す。次にステップＳ１０２において、ＣＰＵ４は、通信インタフェース部９から受けた利用者ＩＤをもとに、情報蓄積装置２に格納された情報から、当該利用者がサービスを受けることが可能か否かを検査する。次にステップＳ１０３において、ＣＰＵ４は、通信インタフェース部９から受けた情報から媒体更新要求コマンドを抽出することで、媒体情報の更新要求であることを認識する。続いてステップＳ１０４において、ＣＰＵ４は、通信インタフェース部９から受けた媒体識別ＩＤから、ターミナルの利用者が現在使用している媒体を判別する。そしてステップＳ１０５において、ＣＰＵ４は、通信インタフェース部９から受けた利用者が現在更新を要求している情報を判別する。
【００３９】
次にステップＳ１０６において、ＣＰＵ４はステップＳ１０１で得られた利用者ＩＤを基に、情報蓄積装置１から当該媒体に関する更新情報を検索する。そしてステップＳ１０７において、ＣＰＵ４は、ステップＳ１０６で得られた情報を基に、情報蓄積装置１から更新に必要な情報を決定する。
【００４０】
以上の設定が終了した時点で、ステップＳ１０８において、ＣＰＵ４は、情報蓄積装置１から当該情報を読み出し、暗号化回路３によって情報の暗号化を行ない、変換回路８を介して、回線に送出可能なデータフォーマットに変換し、通信インタフェース部９を通じて利用者側ターミナルＴＥに送出されることになる。
【００４１】
利用者側ターミナルＴＥにおいては、送信されてきた更新情報を暗号解読回路２１で復号し、情報蓄積装置２２に蓄積する。センタＣＥからの情報の送出が終了すると、ＣＰＵ４はステップＳ１０９において、情報蓄積装置２に格納されている利用者の課金情報を更新し、課金処理を行う。
【００４２】
次にステップＳ１１０において、センタＣＥ側のＣＰＵ４は、利用者に対して情報蓄積装置２２に記録されている媒体管理情報の更新要求を行う。以上の一連の作業終了後、ステップＳ１１１において、通信の解放処理を行う。
【００４３】
以上の作用は、ＩＳＤＮ回線を経由してセンタＣＥとターミナルＴＥとの情報交換を行う一例を示したが、次にセンタＣＥからターミナルＴＥに対して行う情報更新の動作を、通信回線としてアナログ電話回線を使用した場合について図５に示すフローチャートに基づいて説明する。
【００４４】
情報提供者が、ある媒体情報の更新を必要とした場合、ステップＳ２０１において、情報蓄積装置２に格納してある利用者の更新履歴情報および利用者の電話番号情報を検索し、ステップＳ２０２において、通信インタフェース部９を介して利用者と回線を接続（発呼）する。
【００４５】
次にステップＳ２０３において、利用者は、利用者ＩＤを通信インタフェース部３０を介して情報提供者（センタＣＥ）に送出する。次に情報提供者はステップＳ２０４において、ＣＰＵ４は通信インタフェース部９から得られた利用者ＩＤを基に、正規の利用者であることの認証を行ない、ステップＳ２０５において、更新の必要な情報が蓄積されている媒体ＩＤを通信インタフェース部９から送出する。
【００４６】
利用者の端末（ターミナルＴＥ）は、通信インタフェース部３０から媒体ＩＤを受信して情報蓄積装置２２から該当する加入者情報を読み出し、更新の準備を行う。センタＣＥのＣＰＵ４は、ステップＳ２０６において、更新情報を暗号化回路３によって暗号化し、通信インタフェース部９を介して通信回線ＣＡに送出する。
【００４７】
ステップＳ２０７において、端末は、情報蓄積装置２２に格納してある該当媒体の管理情報から更新すべき情報をＲＡＭ２３に移す。受信した更新情報からＲＡＭ２３に移動した該当する情報の変更を行ない、その後情報蓄積装置２２に複写する。そして最後にステップＳ２０８において、通信の解放を行う。
【００４８】
以上のステップにより、情報提供者は所望の媒体の情報の更新を通信回線を介して行うことができ、利用者は最新の情報を利用することが可能となる。
【００４９】
尚、以上の説明は、通信網としてＩＳＤＮとアナログ電話網を用いた場合について説明したが、他の例えば衛星通信やＬＡＮ等の通信網を利用することでも同様な作用が期待できる。
【００５０】
次に、図６および図７は、情報の伝送手段としてケーブルを媒体とした通信網を利用するとともに、空中線電波を利用する衛星放送網の両者を利用するようにした本発明の第２の実施例の構成をブロック図で示したものである。
【００５１】
まず図６は、センタＣＥの構成を示したものであり、上記した図２と同一符号部分はそれぞれ同一機能を有するものであり、従って、その詳細な説明は省略する。この図６において、図２との相異点は、変換回路４に対して衛星回線インタフェース部１０が接続され、情報がケーブルを用いた通信回線とともに、衛星回線を用いて伝送できるようになされている点である。
【００５２】
一方、図７は、ターミナルＴＥの構成を示したものであり、上記した図３と同一符号部分はそれぞれ同一機能を有するものであり、従って、その詳細な説明は省略する。この図７において、図３との相異点は、センタＣＥからの衛星回線を介して送信される情報を受信し、受信信号を暗号解読回路２１に対して供給する衛星回線インタフェース部３１を新たに具備するとともに、システムバス２８に対して情報蓄積装置３２を接続し、同じくシステムバス２１に接続された情報蓄積装置２２のバックアップを保存できるようにした点である。
【００５３】
この図６および図７に示す第２の実施例においては、センタＣＥからターミナルＴＥに対して、例えばカラオケ情報を伝送する場合に利用することができる。
【００５４】
カラオケ情報は周知のとおり、映像と音楽からなる比較的大容量のデータを有しており、例えば新譜情報など、多数の端末が要求することが予想される情報を放送型の伝送手段を使用することで同時に効率的に各端末に対して伝送し、個々の端末の特別なリクエスト情報または更新情報をケーブルを用いた通信回線によって伝送することで効率的な運用を成すことができる。
【００５５】
ここで図８は、カラオケ情報提供者の利用者管理データの構成を示したものである。カラオケ情報提供者と契約を結んだ利用者端末は、それぞれ端末ＩＤ、登録電話番号、課金情報、更新日時等が情報蓄積装置２に保存されている。
【００５６】
次にカラオケ情報の管理情報の構成を図９に示す。蓄積されている全ての曲に対して、識別ＩＤ、曲情報、課金情報、登録日時、格納位置情報が情報蓄積装置１に保存されている。曲情報には、曲名、演奏時間、作詞、作曲家名などが含まれる。また登録日時は、情報蓄積装置１に曲が登録された日時を示す。格納位置情報は、実際のカラオケ情報の格納位置を示すアドレスである。
【００５７】
図１０を用い、衛星ＳＡを使って情報提供者から利用者に対して随時にまたは定期的にカラオケ情報を送出する場合の動作手順について以下に説明する。
【００５８】
まず、情報提供者（センタＣＥ）のＣＰＵ４が、タイマ４ａからの計時情報により定期的に、または人為的に随時に送出プログラムを起動する。ＣＰＵ４はステップＳ３０１において、情報蓄積装置２に保存している登録端末の管理データベースを検索し、ＲＡＭ５に複写する。次にステップＳ３０２において、ＲＡＭ５に複写した端末管理情報から送信を行う登録端末の電話番号読み出す。ステップＳ３０３において、読み出した電話番号に対して通信インタフェース部９を用いて発呼を行う。次にステップＳ３０４において、ＣＰＵ４は情報提供者のＩＤおよび鍵の受信準備を促す鍵送信コマンドをユーザ・ユーザ情報に乗せて通信インタフェース部９を介して端末に送出するとともに、送信するカラオケ情報の暗号を解読する暗号鍵情報を送信する。
【００５９】
次に端末のＣＰＵ２６は、通信インタフェース部３０から受信したユーザ・ユーザ情報から、暗号解読鍵の送出であることを検出する。受信準備が整ったら、ステップＳ３０４において、ＣＰＵ２６は端末ＩＤをユーザ・ユーザ情報を介して通信インタフェース部３０よりカラオケ情報提供者に送信する。
【００６０】
ＣＰＵ２６は、ステップＳ３０５において、通信インタフェース部９から受信したユーザ・ユーザ情報から端末ＩＤを取り出す。次にステップＳ３０６において、ＣＰＵ２６は、抽出した端末ＩＤとステップＳ３０１でＲＡＭ５に複写した端末ＩＤを比較することで認証を行う。もし、認証不可（Ｎｏ）の場合は、ステップＳ３１１に移行し、呼の切断解放処理を行う。また認証ＯＫ（ＹＥＳ）の場合、ステップＳ３０７において、ＣＰＵ４は、暗号解読鍵をユーザ・ユーザ情報に乗せて通信インタフェース部９を介して端末に送出する。
【００６１】
端末が暗号解読鍵を正しく受信した時は、ステップＳ３０８において、ＣＰＵ２６は、暗号解読鍵受信完了をユーザ・ユーザ情報を介して通信インタフェース部３０よりカラオケ情報提供者に送信する。最後にステップＳ３０９において、ＣＰＵ４は、ＲＡＭ５に複写されている管理情報の中の課金情報と更新日時情報を更新し、情報蓄積装置２に複写する。
【００６２】
以上のステップＳ３０１からＳ３０９の処理を管理情報に登録されている端末の全てについて繰り返し行う。ステップＳ３１０で、端末の全てについて処理が終了したと判断すると、ステップＳ３１１で、呼の切断解放処理を行う。このステップＳ３１１で呼の切断解放処理を行なわれた後、実際のカラオケ情報を衛星回線を使用して端末に送信する。
【００６３】
カラオケ情報の送信には、全ての情報を送出するモードと前回送出した情報に追加された情報のみを送出するモードの２つの動作モードがある。この２つの動作モードについて、図１１および図１２に基づいて説明する。
【００６４】
まず始めに、ＣＰＵ４は、送信プログラムにより全部の情報を送るモードか追加情報（または更新情報）を送るモードかを判断する。もし全ての情報を送るモードの場合、図１１の“Ａ”として示すルーチンが実行される。
【００６５】
まず、ステップＳ４０１において、ＣＰＵ４は情報蓄積装置１に記録しているカラオケ情報の管理情報（ディレクトリ情報）を読み出す。管理情報に記録されているカラオケ情報を検索し、実際のカラオケ情報を情報蓄積装置１から読み出す。読み出した情報をステップＳ４０２において暗号化回路３により暗号化し、回線インタフェースに送出できる形に変換回路４でデータ変換を行ない、衛星回線インタフェース部１０を介して端末に送信する。
【００６６】
ステップＳ４０３において、以上の動作を管理情報に記録されているカラオケ情報が全て終了するまで繰り返す。全て送信が終わると、処理は終了する。
【００６７】
次に、追加情報（または更新情報）を送るモードの場合には、図１２の“Ｂ”として示すルーチンが実行される。即ち、ステップＳ５０１において、ＣＰＵ４は、情報蓄積装置１に記録しているカラオケ情報の管理情報（ディレクトリ情報）を検索する。次にステップＳ５０２において、管理情報に記録されている登録日時情報を読み出し、前回の更新日時（送信日時）よりも新しいかどうかを比較する。もし、新しい場合は情報蓄積装置１から実際のカラオケ情報を読み出す。読み出した情報を、ステップＳ５０３において暗号化回路３により暗号化し、回線インタフェースに送出できる形に変換回路４でデータ変換を行ない、衛星回線インタフェース部１０を介して端末に送信する。
【００６８】
ステップＳ５０４において、以上の動作を管理情報に記録されているカラオケ情報が全て終了するまで繰り返す。全ての送信が終わると、処理は終了する。
【００６９】
尚、送信されたカラオケ情報を受信して記録する端末側では、情報蓄積装置２２と情報蓄積装置３２の２系統の蓄積装置が用意されており、交互に情報を記録更新することで、情報の消滅などの事故を回避できる構成となっている。また、ＣＤ−ＲＯＭ読み取り装置２０により、衛星回線を使用しなくても必要最小限の曲数を確保しておくことができる。
【００７０】
本実施例では、通信網としてＩＳＤＮを用いた場合について説明したが、アナログ電話網やＣＡＴＶ網、ローカルエリアネットワークなどの伝送網を使用しても実現できる。
【図面の簡単な説明】
【００７１】
【図１】本発明の情報提供システムの通信系における基本構成を示したブロック図である。
【図２】本発明の情報提供システムに係るセンタ側の第１の実施例の構成を示したブロック図である。
【図３】本発明の情報提供システムに係るターミナル側の第１の実施例の構成を示したブロック図である。
【図４】図２および図３に示すセンタおよびターミナルにおける作用を示すフローチャートである。
【図５】図２および図３に示すセンタおよびターミナルにおける他の作用を示すフローチャートである。
【図６】本発明の情報提供システムに係るセンタ側の第２の実施例の構成を示したブロック図である。
【図７】本発明の情報提供システムに係るターミナル側の第２の実施例の構成を示したブロック図である。
【図８】本発明に使用される端末管理のディレクトリ情報の配列状態を示した構成図である。
【図９】本発明に使用されるカラオケ情報の管理情報の配列状態を示した構成図である。
【図１０】図６および図７に示すセンタおよびターミナルにおける作用を示すフローチャートである。
【図１１】図６および図７に示すセンタおよびターミナルの第１のモードにおける作用を示すフローチャートである。
【図１２】図６および図７に示すセンタおよびターミナルの第２のモードにおける作用を示すフローチャートである。
【符号の説明】
【００７２】
１  情報蓄積装置（情報蓄積手段），  ２  情報蓄積装置，  ３  暗号化回路，  ４  ＣＰＵ（中央演算手段），  ５  ＲＡＭ，  ６  ＲＯＭ，  ７  システムバス，  ８  変換回路，  ９  通信インタフェース部（センタ側第１送信手段、センタ側第１受信手段），  １０  衛星回線インタフェース部（センタ側第２送信手段），  ２０  ＣＤ−ＲＯＭ読み取り装置（情報読み取り手段），  ２０ａ  ＣＤ−ＲＯＭ（情報記録媒体），  ２１  暗号解読回路，  ２２  情報蓄積装置（情報蓄積手段），  ２３  ＲＡＭ，  ２４  表示回路，  ２５  操作装置，  ２６  ＣＰＵ（中央演算手段），  ２７  ＲＯＭ，  ２８  システムバス，  ２９  表示装置，  ３０  通信インタフェース部（ターミナル側第１送信手段、ターミナル側第１受信手段），  ３１  衛星回線インタフェース部（ターミナル側第２受信手段），  ３２  情報蓄積装置（情報蓄積手段），  ＣＥ  センタ，  ＴＥ  ターミナル，  ＳＡ  通信衛星，  ＲＦ１  空中線電波，  ＲＦ２  再送信電波，  ＣＡ  ケーブル
【図１】
2006331414.tif 000003
【図２】
2006331414.tif 000004
【図３】
2006331414.tif 000005
【図４】
2006331414.tif 000006
【図５】
2006331414.tif 000007
【図６】
2006331414.tif 000008
【図７】
2006331414.tif 000009
【図８】
2006331414.tif 000010
【図９】
2006331414.tif 000011
【図１０】
2006331414.tif 000012
【図１１】
2006331414.tif 000013
【図１２】
2006331414.tif 000014